(57)【要約】【課題】個々の情報のデータ量が小さく、より多数の情報を一括して送信することが容易な無線通信装置を提供すること。【解決手段】無線通信装置は、所定の領域内を複数のセルに区画して、各セルに１ビットを割り当てて、各セルの状態を１ビットのデータで表現することにより、所定の領域内全体の状態を複数のセルと同数分のビット数で表現可能に構成されたマップデータを作成する。自車両の周囲に存在する交通要素に関して当該交通要素の自車両に対する相対位置を示す相対位置情報を取得する情報取得部から提供される相対位置情報に基づいて（Ｓ１１０，Ｓ１１５）、各セルに対応する相対位置に交通要素が存在するか否かを各セルに対応するビットのオン・オフによって記録したマップデータを作成する（Ｓ１２０−Ｓ１５０）。【選択図】図１４
2015186009.tif 000002
【特許請求の範囲】
【請求項１】
自車両の周辺における所定の領域内の交通状況を表すマップデータとして、前記所定の領域内を複数のセルに区画して、各セルに１ビットを割り当てて、各セルの状態を１ビットのデータで表現することにより、前記所定の領域内全体の状態を前記複数のセルと同数分のビット数で表現可能に構成されたマップデータを作成可能で、前記自車両の周囲に存在する交通要素に関して当該交通要素の前記自車両に対する相対位置を示す相対位置情報を取得する情報取得部（４０）から提供される前記相対位置情報に基づいて、各セルに対応する相対位置に前記交通要素が存在するか否かを各セルに対応するビットのオン・オフによって記録した前記マップデータを作成するマップ作成部（２０，２１，２１１）と、
前記自車両の絶対位置を検出可能な検出部（５０）から提供される前記自車両の絶対位置と、前記マップ作成部によって作成された前記マップデータとを、データ送信先に対して送信する送信部（３０，３１，３２）と、
データ送信元から送信されてくる前記交通要素の絶対位置と前記マップデータとを受信する受信部（３０，３２，３３）と、
前記受信部によって受信した前記交通要素の絶対位置と前記マップデータとに基づいて、前記マップデータ中に記録された前記交通要素の相対位置を絶対位置に変換するフィッティング部（２０，２１，２１２）と
を備える無線通信装置。
【請求項２】
前記マップ作成部（２０，２１，２１１，Ｓ１２０−Ｓ１２５）は、前記自車両からの相対位置に応じて、当該相対位置が遠い前記セルほど当該セルのサイズが連続的又は段階的に大きくされた前記マップデータを作成する
請求項１に記載の無線通信装置。
【請求項３】
前記マップ作成部（２０，２１，２１１，Ｓ１３０−Ｓ１３５）は、前記自車両の速度に応じて、当該速度が速いほど一つの前記セルに対応する実際の範囲が連続的又は段階的に拡大された前記マップデータを作成する
請求項１又は請求項２に記載の無線通信装置。
【請求項４】
前記マップ作成部（２０，２１，２１１，Ｓ１３５）は、前記自車両の前記情報取得部によって取得される前記相対位置情報の位置精度に応じて、当該位置精度が高い場合ほど一つの前記セルに対応する実際の範囲が連続的又は段階的に縮小された前記マップデータを作成する
請求項１〜請求項３のいずれか一項に記載の無線通信装置。
【請求項５】
前記マップ作成部（２０，２１，２１１，Ｓ１０５−Ｓ１１５）は、前記受信部によって前記データ送信元から前記マップデータを受信してから所定以上の時間が経過している場合には、各セルに対応する相対位置に前記交通要素が存在するか否かを各セルに対応するビットのオン・オフによって記録した前記マップデータを作成する一方、前記所定以上の時間が経過していない場合には、各セルに対応する相対位置に存在する前記交通要素において所定のイベントが発生しているか否かを各セルに対応するビットのオン・オフによって記録した前記マップデータを作成する
請求項１〜請求項４のいずれか一項に記載の無線通信装置。
【請求項６】
前記マップ作成部（２０，２１，２１１，Ｓ１４０−Ｓ１４５）は、各セルに対応する相対位置に前記交通要素が存在するか否かを各セルに対応するビットのオン・オフによって記録する際、隣接する位置にある複数のセルを対象にしてビットのオン・オフを実施することにより、前記交通要素が存在する前記相対位置とともに当該相対位置の位置精度を記録した前記マップデータを作成する
請求項１〜請求項５のいずれか一項に記載の無線通信装置。
【請求項７】
前記マップ作成部（２０，２１，２１１，Ｓ１４０−Ｓ１４５）は、各セルに対応する相対位置に前記交通要素が存在するか否かを各セルに対応するビットのオン・オフによって記録する際、隣接する位置にある複数のセルを対象にしてビットのオン・オフを実施することにより、前記交通要素が存在する前記相対位置とともに前記交通要素の速度又は速度域を記録した前記マップデータを作成する
請求項１〜請求項６のいずれか一項に記載の無線通信装置。
【請求項８】
前記マップ作成部（２０，２１，２１１，Ｓ１５５）は、前記マップデータを作成したあと、所定の符号化方式で符号化することにより、前記マップデータのデータ量を圧縮するように構成され、
前記フィッティング部（２０，２１，２１２，Ｓ２０５）は、圧縮された前記マップデータを、前記所定の符号化方式で復号して圧縮前の前記マップデータに変換する
請求項１〜請求項７のいずれか一項に記載の無線通信装置。
【請求項９】
前記受信部によって前記データ送信元から前記マップデータを受信した際に、自車両側では存在を認識している前記交通要素であって、かつ前記データ送信元から受信した前記マップデータには記録されていない前記交通要素が存在する場合に、当該交通要素に関する追加情報を前記データ送信先に対して提供する情報提供部（２０，２１，２１３，Ｓ２３０−Ｓ２３５）
を備える請求項１〜請求項８のいずれか一項に記載の無線通信装置。
【発明の詳細な説明】
【技術分野】
【０００１】
本発明は、車両等の交通要素の位置を無線通信で伝送する無線通信装置に関する。
【背景技術】
【０００２】
自車両で取得した情報を車車間通信によって他車両へ提供する技術が提案されている（例えば、特許文献１参照。）。この種の技術では、自車両で取得可能な各種情報全てを他車両へ伝送しようとすると、その情報量が膨大になる。そのため、車両間における通信処理にかかる時間が長くなり、そのような通信制御やデータ処理を行う制御装置にかかる負荷も大きくなる。こうした問題に対し、上記特許文献１に記載の技術では、情報の価値に重み付けをして、より有益と判断された情報を選択的に送信することで、情報量を削減することが提案されている。
【先行技術文献】
【特許文献】
【０００３】
【特許文献１】特開２００７−１５６７５３号公報
【発明の概要】
【発明が解決しようとする課題】
【０００４】
しかし、上記従来技術は、送信される情報の数を少なくすることで、全体としての情報量を削減する技術であって、送信される個々の情報そのもののデータ量を小さくする技術ではない。そのため、いくつかの重要な情報が車車間で伝送されるとしても、それ以外の情報は欠落しやすく、一方の車両では必要な情報であっても、他方の車両では不要との価値判断がなされると、必要な情報が伝送されないといった状況にも陥り得る。
【０００５】
この点、個々の情報のデータ量をより小さくすることができれば、全体としての情報量は同等であっても、送信される情報の数をより多くして、それら多数の情報を一括して送信することも可能となる。
【０００６】
以上のような事情から、個々の情報のデータ量が小さく、より多数の情報を一括して送信することが容易な無線通信装置を提供することが望ましい。
【課題を解決するための手段】
【０００７】
以下に説明する無線通信装置は、マップ作成部と、送信部と、受信部と、フィッティング部とを備える。マップ作成部は、情報取得部から提供される相対位置情報に基づいて、交通要素（例えば、自車両以外の車両である他車両、あるいは歩行者等。）の存在する相対位置が記録されたマップデータを作成する。なお、情報取得部は、自車両の周囲に存在する交通要素に関して当該交通要素の自車両に対する相対位置を示す相対位置情報を取得する構成である。相対位置情報は、情報取得部からマップ作成部へ直接提供されてもよいし、情報取得部が相対位置情報をデータベースに登録して、データベース経由でマップ作成部へ提供されてもよい。
【０００８】
マップ作成部が作成するマップデータは、自車両の周辺における所定の領域内に関し、当該所定の領域内を複数のセルに区画し、各セルに１ビットを割り当てたデータとされる。これにより、このマップデータは、各セルの状態が１ビットのデータで表現され、所定の領域内全体の状態を複数のセルと同数分のビット数で表現可能に構成されたデータとなる。マップ作成部は、上述のようなマップデータにおいて、各セルに対応する相対位置に交通要素が存在するか否かを各セルに対応するビットのオン・オフによって記録する。
【０００９】
送信部は、検出部によって検出された自車両の絶対位置と、マップ作成部によって作成されたマップデータとを、データ送信先（例えば、自車両の周辺にいる他車両、あるいは路上の通信施設等。）に対して送信する。なお、検出部は、自車両の絶対位置を検出する構成である。受信部は、データ送信元（例えば、自車両の周辺にいる他車両、あるいは路上の通信施設等。）から送信されてくる交通要素の絶対位置とマップデータとを受信する。フィッティング部は、受信部によって受信した交通要素の絶対位置とマップデータとに基づいて、マップデータ中に記録された交通要素の相対位置を絶対位置に変換する。
【００１０】
ちなみに、データ送信元から受信したマップデータ中に記録された交通要素は、マップデータを送信したデータ送信元において存在が認識されている交通要素である。そのような交通要素としては、例えば、マップデータを送信した車両自体、マップデータを送信した車両以外の車両（自車両も含まれ得る。）等が該当し得る。ただし、これら全ての交通要素が該当するか否かは仕様や環境によっても変わり得る。
【００１１】
また、フィッティング部での変換によって得られた交通要素の絶対位置は、自車両において各種用途で利用され得るが、どのような用途で利用するかは任意である。例えば、自車両の報知装置（例えばナビゲーションシステム等。））から運転者に向かって交通情報として報知されてもよいし、自車両の車速制御や制動制御を行うために必要な情報として利用されてもよく、これら以外の用途で利用されてもよい。
【００１２】
以上のように構成された無線通信装置によれば、自車両に対する交通要素の相対位置を１ビットという極めて小さなデータ量で伝送することができる。そのため、多数の交通要素それぞれに対応する相対位置情報であっても一括して送信することができる。したがって、データ量を抑制するために、例えば、一部の交通要素だけを選択して相対位置情報を送信し、残りの交通要素については相対位置情報の送信を断念する、といった対応をしなくても済む。
【００１３】
また、一括して送信可能なデータ量が決まっている場合、自車両に対する交通要素の相対位置に関するデータ量が小さくなれば、その分だけ他のデータを送信できる。したがって、自車両に対する交通要素の相対位置以外にも、より多くの他の情報を付加して送信する余裕ができる。あるいは、そのような他の情報を付加しなければ、一括して送信されるデータ量そのものを小さくできるので、通信トラフィックを減少させることができ、無線通信装置の各部にかかる処理負荷を軽減することができる。
【００１４】
なお、特許請求の範囲に記載した括弧内の符号は、一つの態様として後述する実施形態に記載の具体的手段との対応関係を示すものであって、本発明の技術的範囲を限定するものではない。
【００１５】
また、本発明は、上述した無線通信装置の他、当該無線通信装置を構成要素とするシステム、当該無線通信装置としてコンピュータを機能させるためのプログラム、無線通信方法など、種々の形態で実現することができる。
【図面の簡単な説明】
【００１６】
【図１】無線通信装置を含むシステム全体の一例を示す構成図である。
【図２】交通情報ＤＢに格納されるデータを例示した説明図である。
【図３】交通状況を例示した説明図である。
【図４】マップデータの一例を示す説明図である。
【図５】受信マップデータテーブルに格納されるデータを例示した説明図である。
【図６】マップデータ内に複数のセルサイズが混在する例を示す説明図である。
【図７】ヘッダとマップデータのデータ構造を示す説明図である。
【図８】車速に応じてセルサイズが可変とされたマップデータを示す説明図である。
【図９】測定精度に応じてセルサイズが可変とされたマップデータを示す説明図である。
【図１０】データ化の対象が変更されたマップデータを示す説明図である。
【図１１】隣接する複数のセルで位置精度を表現したマップデータを示す説明図である。
【図１２】交通情報ＤＢに格納される位置精度付きのデータを例示した説明図である。
【図１３】隣接する複数のセルで車速を表現したマップデータを示す説明図である。
【図１４】データ送信処理のフローチャートである。
【図１５】データ受信処理のフローチャートである。
【発明を実施するための形態】
【００１７】
次に、上述の無線通信装置について、より具体的な例を挙げて説明する。
［無線通信装置、及び車車間通信システムの構成］
以下に説明する実施形態は、本発明の一実施形態として例示する無線通信装置が複数の車両それぞれに搭載されて、これらの車両によって車車間通信を行う情報通信システムが構成されている例である。この情報通信システムは、車車間通信以外にも、更に歩車間通信や路車間通信によって各種交通情報を取得可能に構成されていてもよい。
【００１８】
図１に例示した範囲内において、この情報通信システムは、複数の車両（図１では、三台の車両１，２，３を例示。ただし、システムとしては三台に限定されない。）によって構成されている。これらの車両１，２，３には、無線通信装置１０が搭載され、車両１，２，３の間で相互に情報通信が可能となるように構成されている。図１においては、図を簡略にするため、車両１に搭載されている構成を記載し、車両２，３に搭載されている構成の図示を省略してある。ただし、車両２，３にも車両１と同等な構成が搭載されている。以下、図１において車両１が備える構成を参照しつつ説明を続ける。
【００１９】
車両１に搭載された無線通信装置１０は、制御部２０、及び通信部３０を備えている。制御部２０は、周知のＣＰＵ２１やＲＡＭ２２などを備えたマイクロコンピュータを中心に、各種インターフェイス回路等を配して構成されている。ＣＰＵ２１は、所定のプログラムに従って各種処理を実行する。これにより、ＣＰＵ２１は、本実施形態に関連する構成として、後述するマップ作成部２１１、フィッティング部２１２、及び情報提供部２１３などとして機能する。ＲＡＭ２２は、制御部２０の作動中に入出力される各種データを一時的に記憶する記憶手段である。本実施形態に関連する構成として、ＲＡＭ２２には、受信マップデータテーブル２２１が確保される。通信部３０は、ＲＦ（Radio Frequency）帯の電波による無線通信方式で、各種情報の送受信を実行可能な周知の構成であり、変調部３１、ＲＦ部３２、及び復調部３３などを備えている。なお、通信部３０は、ＲＦ帯の電波以外を利用する無線通信方式であってもよい。
【００２０】
車両１には、上述の無線通信装置１０と連携して機能する構成として、情報取得部４０、検出部５０、及び交通情報データベース（以下、交通情報ＤＢと略称する。）６０を備えている。情報取得部４０は、車両１の周辺における交通情報を取得可能な構成全てが該当する。その一例としては、例えば、対象物を画像として撮影するカメラ４１、レーザー光等を照射して対象物の大きさや対象物までの距離を検出するライダー（ＬＩＤＡＲ）４２、車車間／歩車間／路車間通信などで交通情報を取得する無線装置４３などを挙げることができる。
【００２１】
情報取得部４０については、これらカメラ４１、ライダー４２、及び無線装置４３に限られず、交通情報を取得する上で有用な構成であれば、更に他の構成を備えていてもよい。あるいは、情報取得部４０としての機能を実現可能な範囲内であれば、上述した構成のいずれかが省略されてもよい。また、情報取得部４０は、上述の無線通信装置１０と連携させることを目的として採用された専用の構成ではなく、車両１が備える他の機能を実現するためにも利用され得る汎用の構成である。ただし、このような汎用の構成とは別に、上述のような専用の構成として情報取得部４０が設けられていてもよい。無線装置４３については、無線通信装置１０自体が無線装置４３相当の役割を果たすように構成されていてもよい。
【００２２】
検出部５０は、自車両の絶対値を検出するための構成全てが該当する。その一例としては、例えば、人工衛星による測位が可能なＧＰＳ（Global Positioning System）５１、車両の向きや角速度を検出可能なジャイロセンサ５２、道路やその他の施設の位置情報などが格納された地図情報５３などを挙げることができる。
【００２３】
検出部５０についても、これらＧＰＳ５１、ジャイロセンサ５２、及び地図情報５３に限られず、自車両の絶対位置を検出する上で有用な構成であれば、更に他の構成（例えば、車速センサ、操舵角センサ等。）を備えていてもよい。あるいは、検出部５０としての機能を実現可能な範囲内であれば、上述した構成のいずれかが省略されてもよい。また、検出部５０も、上述の無線通信装置１０と連携させることを目的として採用された専用の構成ではなく、車両１が備える他の機能を実現するためにも利用され得る汎用の構成である。ただし、このような汎用の構成とは別に、上述のような専用の構成として検出部５０が設けられていてもよい。
【００２４】
交通情報ＤＢ６０は、不揮発性の記憶手段によって構成されたデータベースである。この交通情報ＤＢ６０には、情報取得部４０において取得された交通情報、無線通信装置１０において取得された交通情報、あるいはその他の手法で取得された交通情報などが随時格納される。格納される情報の項目は特に限定されないが、例示的に項目の一例を挙げれば、例えば図２に示すような項目で構成された情報群が格納され得る。更にこれら以外の項目に対応する情報が格納されてもよい。
【００２５】
交通情報ＤＢ６０に格納された交通情報は、必要時に無線通信装置１０側へと提供される。このように情報取得部４０と無線通信装置１０が交通情報ＤＢ６０を介して交通情報の入出力を行えば、情報取得部４０と無線通信装置１０とで、一方が交通情報を取得するタイミングと他方が交通情報を必要とするタイミングに時差があっても、両者が非同期で情報の授受を行うことができる。なお、交通情報ＤＢ６０を備えている場合でも、更に情報取得部４０と無線通信装置１０とが同期して直接情報を伝送可能とするための構成を備えていてもよい。
【００２６】
［マップデータの態様（その１）］
無線通信装置１０において、マップ作成部２１１では、情報取得部４０において取得された交通情報（本実施形態では、交通情報ＤＢ６０に格納されている情報。）に基づいて、自車両の周辺における所定の領域内の交通状況を表すマップデータが作成される。このマップデータは、自車両の周辺における所定の領域内を複数のセルに区画して、各セルに１ビットを割り当てて、各セルの状態を１ビットのデータで表現したデータである。このようなマップデータにより、所定の領域内全体の状態は、複数のセルと同数分のビット数で表現される。
【００２７】
本実施形態において、上述のようなマップデータ化される交通情報の代表的な例としては、自車両の周囲に存在する他車両の相対位置を示す情報（すなわち、他車両の自車両に対する相対位置を示す情報。）を挙げることができる。具体的には、情報取得部４０から提供される他車両の相対位置情報（本実施形態では、交通情報ＤＢ６０に格納されている相対位置情報。）に基づいて、マップ作成部２１１は、各セルに対応する相対位置に他車両が存在するか否かを各セルに対応するビットのオン・オフによって記録したマップデータを作成する。
【００２８】
例えば、図３に示すように、自車両Ｃ０の周囲において、自車両Ｃ０と同方向へ走行する他車両Ｃ１，Ｃ２や、反対車線上を自車両Ｃ０とは反対方向へ走行する他車両Ｃ３，Ｃ４が存在する場合を想定する。この場合、自車両Ｃ０では、情報取得部４０によって各他車両Ｃ１〜Ｃ４の自車両Ｃ０に対する相対位置を取得する。このような相対位置は、例えば情報取得部４０の一例に相当するライダー４２で測定して取得することができる。あるいは、他車両Ｃ１〜Ｃ４との車車間通信で他車両Ｃ１〜Ｃ４の絶対位置（例えば、ＧＰＳ５１による測位で得た位置。）を取得して自車両Ｃ０の絶対位置との差を得ることで取得することができる。これら複数の取得方法は、いずれかを択一的に利用してもよいが、複数の取得方法を併用してもよい。複数の取得方法を併用すれば情報の精度を向上させることができる。
【００２９】
図３に例示した各他車両Ｃ１〜Ｃ４の場合、他車両Ｃ１は、自車両Ｃ０に対し左方へＡ（−Ａ）、前方へ３Ｂ（＋３Ｂ）の相対位置にある。他車両Ｃ２は、自車両Ｃ０に対し左方へＡ（−Ａ）、後方へ３Ｂ（−３Ｂ）の相対位置にある。他車両Ｃ３は、自車両Ｃ０に対し右方へＡ（＋Ａ）、前方へ２Ｂ（＋２Ｂ）の相対位置にある。他車両Ｃ４は、自車両Ｃ０に対し右方へ３Ａ（＋３Ａ）、後方へ３Ｂ（−３Ｂ）の相対位置にある。ここでＡ，Ｂは、各セルの一辺に対応する距離に相当する。したがって、例えば、Ａが１０ｍ、Ｂが１０ｍであれば、他車両Ｃ１は、自車両Ｃ０に対し左方へ１０ｍ、前方へ３０ｍの相対位置に存在することになる。
【００３０】
このような交通状況が情報取得部４０において取得されると、その情報は交通情報ＤＢ６０に格納される。そして、マップ作成部２１１においてマップデータが作成される際には、マップ作成部２１１により、交通情報ＤＢ６０に格納された様々な交通情報の中から、他車両Ｃ１〜Ｃ４の相対位置に関する情報が抽出されて、図４に示すようなマップデータが作成される。このマップデータにおいて、他車両Ｃ１〜Ｃ４の相対位置情報に基づいて、各セルに対応する相対位置に他車両Ｃ１〜Ｃ４が存在する場合には、各セルに対応するビットがオン（１）とされる（図４中で斜線を付したセル参照。）。また、オンとされたセル以外のセルに対応するビットはオフ（０）とされる。これにより、他車両Ｃ１〜Ｃ４の相対位置がマップデータ中に記録される。
【００３１】
なお、図４では自車両Ｃ０が存在するセルに対応するビットもオン（１）とされている。ただし、当該セルに自車両Ｃ０が存在することはビットのオン・オフによらず自明である。よって、このセルに車両が存在するのは当然であるものと扱う取り決めになっていれば、当該セルのオン・オフをいずれにするかは任意である。また、自車両の位置がマップの中央となるか否かも任意である。例えば、自車両の前方については後方よりも遠方までマップ化したい場合は、マップの２／３を自車両の前方、１／３を自車両の後方に割り当ててもよい。この場合、自車両の位置はマップの中央ではなくなる。さらに、このマップデータは車両の有無をオン・オフで識別できればよいデータである。したがって、車両が存在する場合にビットがオフ、存在しない場合にビットがオンとなるマップデータとされていてもよく、これも取り決め次第である。
【００３２】
いずれにしても、図４に例示するようなマップデータが作成されれば、例えば、上述した例のように、Ａが１０ｍ、Ｂが１０ｍであれば、車両の幅方向へ９０ｍ、車両の進行方向へ９０ｍの範囲を対象に、８１ビットのデータ量で他車両の相対位置を表現することができる。Ａ，Ｂは１０ｍ以外であってもよく、両者の比Ａ：Ｂも１０ｍ：１０ｍ以外でもよい。実用上、より精密な相対位置を表現したい場合は、各セルの一辺に対応する距離は短くなるほど好ましい。例えば、セルの一辺が２０ｍの場合は±１０ｍの誤差が含まれ得るのに対し、セルの一辺が１０ｍの場合は±５ｍの誤差が含まれるだけなので、後者の方が２倍高い精度で相対位置を表現できる。
【００３３】
また、図４では、図を簡略にする都合上、縦横９×９のセルを配列した構成のマップデータを例示したが、縦横９×９とするか否かも任意である。より広範囲のマップデータを作成したい場合は、セルの一辺の長さを大きくするのではなく、セルの配列数を増やすことで、高い精度で相対位置を表現できるようになる。例えば、セルの一辺が１０ｍの場合、９×９のセルでは９０ｍ四方の範囲しか表現できないが、２７×２７のセルであれば２７０ｍ四方の範囲を表現することができる。セルの一辺を３０ｍに変更すれば、９×９のセルでも２７０ｍ四方の範囲を表現できるが、この場合は±１５ｍまで誤差が拡大するので、精度を維持したい場合はセルの配列数を増やす方がよい。
【００３４】
マップ作成部２１１において作成されたマップデータは、変調部３１において変調されて、ＲＦ部３２から自車両の周囲にいる他車両に対して同報送信される。このとき、無線通信装置１０は、自車両の絶対位置を示す情報もマップデータとともに送信する。このようなマップデータの同報送信は他車両においても実施される。
【００３５】
そのため、自車両の周囲に複数の他車両が存在する場合、それら複数の他車両において上述のような同報送信が実施されると、それを自車両ではＲＦ部３２で受信し、復調部３３において復調する。これにより、複数の他車両それぞれから当該他車両の絶対位置情報とマップデータを取得することになる。マップデータを受信した際には、図５に示すように、複数のマップデータそれぞれが受信マップデータテーブル２２１に格納される。このとき、受信マップデータテーブル２２１には、他車両の絶対位置情報（図５に示す送信車両緯度及び送信車両経度。）も併せて格納される。他車両の絶対位置情報は、マップデータとともに送信されてきてもよいが、マップデータよりも先行して受信した絶対位置情報が交通情報ＤＢ６０に格納されている場合は、交通情報ＤＢ６０から絶対位置情報を取得してもよい。
【００３６】
定期的な更新タイミングにおいてフィッティング部２１２では、マップデータを送信した他車両の絶対位置情報を用いて、マップデータ中に記録されている他車両の相対位置情報を絶対位置情報に変換する。ここで、複数のマップデータを受信している場合は、他車両の絶対位置とマップデータの範囲が判れば、複数のマップデータに重複する範囲が存在するか否かを判断できる。
【００３７】
複数のマップデータに重複する範囲が含まれる場合、その重複範囲に他車両が存在していれば、複数のマップデータそれぞれから他車両の絶対位置を読み取ることができる。読み取った絶対位置には誤差も含まれる。そのため、複数のマップデータから読み取った位置全てが一致するとは限らない。しかし、複数のマップデータそれぞれから他車両の絶対位置を読み取ることができれば、それらの複数の絶対位置から最小二乗法などで絶対位置の真値を推定することで、位置情報の精度を更に向上させることができる。
【００３８】
このようにしてフィッティング部２１２において推定された他車両の絶対位置情報は、交通情報ＤＢ６０に格納される。なお、交通情報ＤＢ６０に格納され他車両の絶対位置情報は、自車両において各種用途で利用され得る。例えば、自車両が備えるナビゲーション装置から運転者に向かって交通情報として報知されるような用途で利用され得る。あるいは、自車両の車速制御や制動制御を行うために必要な情報として利用され得る。この他の用途もあり得るが、どのような用途で用いるかについては、要部との関連性が低いので、これ以上の説明は省略する。
【００３９】
［マップデータの態様（その２）］
ところで、図４に例示したマップデータの場合、複数のセル全てにおいて、セルのサイズが同サイズとなっていたが、セルサイズを自車両からの相対位置に応じて可変とする構成を採用してもよい。例えば、図６に示すように、自車両からの相対位置に応じて、相対位置が遠いセルほど当該セルのサイズが連続的又は段階的に大きくされたマップデータを考え得る。図６に示す例の場合、自車両からの相対位置に応じてセルのサイズが二段階に変えられている。このセルサイズは三段階以上にわたって変えられてもよい。また、図６に示す例の場合、セルのサイズが二段階に変えられているので、サイズが変更される段階よりも自車両からの相対位置が近い範囲内にあるセルのサイズは同サイズとされているが、自車両からの相対位置に応じて連続的にセルのサイズが変更されていてもよい。
【００４０】
このようにセルのサイズを可変とした場合でも、各セルに割り当てられるデータサイズは１ビットとされる。これにより、自車両から近い位置にあるセルについては位置精度が高い状態を維持し、自車両から遠い位置にあるセルについては位置精度が低くなるものの、その点さえ許容すれば、より少ないデータ量でより広範囲の交通状況を記録することができるようになる。
【００４１】
ちなみに、通常、自車両の近くにいる他車両については、その位置を正確に把握できるのに対し、自車両から遠方にある他車両については、その位置を把握できても相応の誤差が含まれ得る。したがって、正確な位置情報を提供可能な自車両近くの他車両と、正確な位置情報の提供が困難な自車両から離れた他車両とでは、図６に示すようにデータの精度に差異があっても、そのような差異がない場合と誤差範囲については大差がないことも多い。よって、図６に示すような形態のマップデータにすれば、誤差範囲をそれほど大きくすることなく、データサイズの削減ないしマップ範囲の広域化を図ることができる。
【００４２】
図４に例示したようなマップデータと、図６に例示したようなマップデータのいずれを利用するかは、システムにおいて取り決められていればよい。また、そのような取り決めとして、両方のタイプのマップデータを使用可能としてもよい。両方のタイプのマップデータを使用する場合は、例えば、図７に例示するように、マップデータの先頭にヘッダを付加して、そのヘッダの中にマップ形状を示す情報を記録する。
【００４３】
マップ形状を示す情報は、例えば、１ビットあれば２種類のマップ形状のいずれであるのかを示すことができ、２ビットあれば最大４種類のマップ形状のいずれであるのかを示すことができ、必要なら３ビット以上あってもよい。すなわち、何種類のマップ形状があるのかに応じて、必要なビット数のマップ形状情報をヘッダ内に確保すればよく、これにより、受信側での処理を適切に実施することができる。なお、図７において、ヘッダ内には、セルサイズ情報、情報種別情報なども記録されているが、これらについては後述する。
【００４４】
［マップデータの態様（その３）］
既に説明した事例では、マップデータを構成するセルのサイズについては任意に変更し得る旨を説明してきたが、セルのサイズを動的に変更する構成を採用してもよい。具体的には、例えば、自車両の速度に応じて、当該速度が速いほど一つのセルに対応する実際の範囲が連続的又は段階的に拡大されるように構成されてもよい。理解を促すために例示的な数値を挙げれば、例えば、図８に示すように、車速が６０ｋｍ／ｈ未満の場合は、セルの一辺が１０ｍに対応するマップデータを作成し、車速が６０ｋｍ／ｈ以上の場合は、セルの一辺が２０ｍに対応するマップデータを作成する。
【００４５】
このように構成した場合、車速が低速であれば、より精度の高い情報（誤差が±５ｍ）を記録可能なマップデータが作成される。一方、車速が高速の場合は、低速時よりは精度の低い情報（誤差が±１０ｍ）しか記録できない。しかし、同じビット数でより広範囲の記録が可能なマップデータが作成されることになる。車速が低速な場合は、車間距離が短くなりがちで、位置精度の高い情報が必要なので、このような状況下で誤差が小さいマップデータを作成するのは有益である。一方、車速が高速な場合は、車間距離は長くなるので、近くにいる他車両との距離を厳密に測定することの重要性は低くなるが、単位時間当たりの移動距離が大きくなるので、より広範囲の交通情報を取得することは重要になる。したがって、より重要性の高い情報を適切に取得する観点から、上述のような車速に応じてセルサイズを変更する構成は有益である。
【００４６】
なお、上述の事例では、車速が６０ｋｍ／ｈ以上か否かに応じて、セルサイズを二段階に変更する例を挙げたが、三段階以上に変更してもよいことはもちろんである。また、そのような多段階に変更する構成の他、セルサイズが無段階に連続的に変化する構成としてもよい。どのようなセルサイズのマップデータなのかは、図７に例示したヘッダの中にセルサイズ情報として記録されていれば、受信側での処理を適切に実施することができる。ヘッダ内におけるセルサイズを示す情報は、例えば、１ビットあれば２段階に変更されるセルサイズのいずれであるのかを示すことができる。同情報は、２ビットあれば最大４段階に変更されるセルサイズのいずれであるのかを示すことができる。同情報は、必要なら３ビット以上あってもよい。セルサイズが無段階に変更され得るのであれば、セルサイズとして取り得る値全てを表現可能なビット数にすればよい。
【００４７】
［マップデータの態様（その４）］
上述のようなセルサイズの変更は、車速に連動して変更されるものに限らず、他の条件で変更される構成とされていてもよい。例えば、上述の通り、セルサイズは小さい場合ほど、精度の高い情報を記録可能なマップデータとなる。したがって、自車両の情報取得部４０によって取得される相対位置情報の位置精度に応じて、位置精度が高い場合ほどセルに対応する実際の範囲が小さくなるマップデータを作成してもよい。すなわち、情報取得部４０としては、コスト的な制約やその他の事情から、比較的精度の高い測定機器を採用している場合もあれば比較的精度の低い測定機器を採用している場合もある。
【００４８】
そのため、精度の高い測定機器を採用している場合にはセルサイズを小さく、精度の低い測定機器を採用している場合にはセルサイズを大きくすることで、測定機器の精度を活かした情報を他車両へ提供することができるようになる。理解を促すために例示的な数値を挙げれば、例えば、図９に示すように、測定精度が低い場合は、セルの一辺が１０ｍに対応するマップデータを作成し、測定精度が高い場合は、セルの一辺が５ｍに対応するマップデータを作成する。これにより、セル数が同数であればデータ量は変わらずマップの範囲は狭くなるが、精度の高い位置情報をマップデータ中に記録できるようになる。このような精度を維持したまま、マップの範囲を広域化したければ、データ量は増えることになるがセルの配列数を増やせばよい。なお、このような構成を採用する場合でも、どのようなセルサイズのマップデータなのかは、図７に例示したヘッダの中にセルサイズ情報として記録されていればよいが、更にセルサイズ情報とは別に、高精度情報であることを示す情報をヘッダに記録してもよい。
【００４９】
［マップデータの態様（その５）］
これまで説明した事例は、マップデータに車両の有無を記録する例であった。これに対し、自車両の周囲に存在する他車両のうち、所定のイベントが発生している他車両を対象に、そのような他車両の相対位置を示す情報（すなわち、他車両の自車両に対する相対位置を示す情報。）をマップデータ化してもよい。
【００５０】
このような構成は、特に自車両の周囲に多数の他車両が存在する場合に有益である。具体的には、自車両の周囲に多数の他車両が存在する場合、類似する範囲のマップデータが多数送信されてくる可能性が高くなる。このような場合には、全てのマップデータが同じ車両を対象にして車両の存在の有無ばかりを記録しても、位置情報の精度向上に一定の効果はあるものの、ある程度の精度が確保された段階で、それ以上の冗長な情報は不要となる。このような状況になった場合に、上述のように、所定のイベントが発生している他車両だけを選択してマップデータ化すれば、存在する全車両が記録されているマップデータと併用することで、存在する全車両の相対位置と、その中で所定のイベントが発生している車両がどれなのか、といった情報を把握することができる。すなわち、記録対象を変えることにより、把握可能な情報の幅を広げることが可能となる。
【００５１】
理解を促すために具体的な例を挙げると、例えば、図３に示すように、他車両Ｃ１，Ｃ４においてウインカーオンとなっている場合に、ウインカーオンとなっている他車両を対象にマップデータ化を行う。このようなマップデータを作成すると、図１０に示すように、全車両を対象とするマップデータと、ウインカーオンの車両を対象とするマップデータとでは異なるマップデータが作成される。これら二つのマップデータがそれぞれ別々の車両で作成されて、順次送信されれば、両方のマップデータを取得した車両では、どのような位置に車両が存在し、その中でどの車両のウインカーがオンになっているのかを適切に把握することができる。
【００５２】
どのようなイベントが発生している車両を示すマップデータなのかは、図７に例示したヘッダの中に情報種別情報として記録されていれば、受信側での処理を適切に実施することができる。ヘッダ内における情報種別情報は、例えば、１ビットあれば２種類の情報種別のいずれであるのかを示すことができ、２ビットあれば最大４種類の情報種別のいずれであるのかを示すことができ、必要なら３ビット以上あってもよい。
【００５３】
ちなみに、図１０を見れば理解できるが、イベントが発生している他車両を示すマップデータでは、イベントが発生していない他車両の位置を把握することができない。そのため、このようなマップデータの同報送信をするか否かの判断を行うに当たっては、直近に全車両の存在が記録されたマップデータが同報送信されていることを必要条件として判断を行うとよい。例えば、通信部３０で他車両からマップデータを受信してから所定以上の時間が経過している場合には、最新の車両位置を把握することがより重要なので、全車両の存在が記録されたマップデータを同報送信する。一方、所定以上の時間が経過していない場合には、最新の車両位置を把握済みと見なすことができるので、イベントが発生している他車両を示すマップデータを同報送信する。このようにすれば、イベントが発生していない他車両の位置を把握できないといった事態に陥るのを抑制することができる。
【００５４】
［マップデータの態様（その６）］
マップデータのセルサイズは、一つのセルに対して車両の存在を記録した際に、その周囲のセルに確実に車両が存在しないことを保証できる程度まで、セルのサイズを小さくすることが可能である。例えば、一般的な車両の全長は少なくとも３ｍ程度はあるので、一つのセルのサイズを２ｍ四方とか１ｍ四方といったサイズまで小さくすれば、全長３ｍの車両が２ｍピッチや１ｍピッチで縦列配置されないことは保証できる。
【００５５】
このようにセルサイズを小さくした場合、隣接する位置にある複数のセルを対象にしてビットのオン・オフを実施することにより、他車両が存在する相対位置とともに、他の情報を記録することが可能となる。すなわち、隣接する位置にある複数のセルがオンとなっていても、上述のようにセルサイズが十分に小さければ、そのような隣接するセルそれぞれに対応する位置に別の車両がいないことは保証できる。そのため、この場合、複数の車両が隣接する位置に存在する可能性を排除できる。したがって、隣接する位置にある複数のセルがオンとなっていれば、複数の車両が存在すると解釈せず、何らかの情報が記録されているものと解釈することが可能となる。
【００５６】
このような何らかの情報の例としては、例えば、他車両が存在する相対位置の位置精度を記録することが考えられる。例えば、自車両の周囲にある四台の他車両（普通車＃１〜＃４）について、図１１に示すようなマップデータが作成された場合、普通車＃１〜＃３については位置精度が高い情報として記録されたものと解釈できる。普通車＃４については位置精度が低い情報として記録されたものと解釈できる。
【００５７】
すなわち、普通車＃４については２×２のセルがオンとされているが、当該セルに四台の車両が存在しないことは保証されているので、このような２×２のセルがオンとされている場合には、位置精度が低い情報が記録されているものと解釈する。このようなマップデータは、例えば、図１２に示すような、位置精度情報付きの交通情報に変換されて、交通情報ＤＢ６０に登録される。これにより、交通情報ＤＢ６０に登録された情報を利用する制御では、車両の位置に加え、その位置精度も考慮した制御を実施することができるようになる。
【００５８】
［マップデータの態様（その７）］
車両の位置を示すセルに加えて、隣接する位置にあるセルについてもオンとする方式で、上述のように記録可能な他の情報としては、車速情報の記録なども可能である。例えば、図１３に例示するように、低速車両（図１３中の普通車＃４）はセルを一つだけオンにする。中速車両（図１３中の普通車＃１，＃３）は進行方向に隣接する二つのセルをオンにする。高速車両（図１３中の自車両，普通車＃２）は進行方向に隣接する三つのセルをオンにする。
【００５９】
このようにすることで、進行方向に並ぶセルが１〜３の範囲でオンとされて、その数で車速域を記録することができる。なお、この場合は、進行方向に並ぶ三つのセルがオンとされても、そのような各セルに別の車両が存在し得ない程度までセルサイズが小さい構成を採用する。上述の事例では速度域を三段階に分けたが、セル数に十分な余裕があれば更に多段階の速度域に分けてもよい。また、車両の進行方向に並ぶセル以外に、車両の幅方向に並ぶセルを利用して速度を表現してもよく、例えば、最大で３×３のセルを一台の車両に割り当てることができるのであれば、最大で９段階の車速域を表現できる。以上のような構成を採用すれば、マップデータによって速度情報の伝送も可能となる。
【００６０】
［マップデータの送受信処理］
次に、上述のような無線通信装置１０が備えるＣＰＵ２１によって実行されるマップデータの送受信処理について、図１４及び図１５に基づいて説明する。まず、マップデータの送信処理について説明する。この送信処理は、無線通信装置１０の作動期間中は定期的又は不定期に何度も実行される処理である。
【００６１】
この送信処理を開始すると、ＣＰＵ２１は、過去１００ミリ秒以内にマップを受信したか否かを判断する（Ｓ１０５）。ここで、過去１００ミリ秒以内にマップを受信していなければ（Ｓ１０５：ＮＯ）、全ての車両を対象に交通情報ＤＢ６０から交通情報を抽出する。一方、過去１００ミリ秒以内にマップを受信していれば（Ｓ１０５：ＹＥＳ）、ウインカーを点滅させている車両を対象に交通情報ＤＢ６０から交通情報を抽出する。これらＳ１０５〜Ｓ１１５により、図１０に例示したマップデータのいずれを作成するのかが決まる。
【００６２】
続いて、ＣＰＵ２１は、抽出した車両の位置精度を取得し（Ｓ１２０）、マップ形状を決定する（Ｓ１２５）。Ｓ１２５では、図４に例示したようなマップ形状とするのか、図６に例示したようなマップ形状とするのか、あるいは、これら以外のマップ形状とするのか等が決められる。その際には、Ｓ１２０で取得した位置精度なども参照され、より高精度な情報が取得できている場合は、それを反映可能なタイプのマップ形状が選ばれる。
【００６３】
続いて、ＣＰＵ２１は、自車両の車速を取得して（Ｓ１３０）、車速及び測定精度に基づきマップサイズを決定する（Ｓ１３５）。Ｓ１３５では、図８に例示したような車速条件に基づくマップサイズの選定、及び図９に例示したような測定精度に基づくマップサイズの選定が実施される。車速及び測定精度の双方を利用するか否かは任意であり、いずれか一方に基づく選定を行ってもよい。
【００６４】
続いて、ＣＰＵ２１は、車両ごとの位置精度又は車速に基づき、車両ごとに割り当てるセル数を決定する（Ｓ１４０）。Ｓ１４０では、図１１に例示したような位置精度に基づくセル数の選定、及び図１３に例示したような車速に基づくセル数の選定が実施される。位置精度及び車速の双方を利用するか否かは任意であり、いずれか一方に基づく選定を行ってもよい。例えば、双方を利用したい場合は、縦方向のセル数で速度、横方向のセル数で位置精度をそれぞれ表現するとよい。
【００６５】
続いて、ＣＰＵ２１は、抽出した交通情報から決定したマップ形状、サイズ、車両ごとのセル数でマップを作成し（Ｓ１４５）、ヘッダ部に交通情報抽出条件、マップ形状、サイズ情報を付加する（Ｓ１５０）。これにより、これまで説明してきたような、各セルの状態を１ビットで表現したマップデータが作成され、各種情報がヘッダ部に記録される。
【００６６】
こうしてマップデータが完成したら、ＣＰＵ２１は、マップを符号化して圧縮し、周囲の送信先に対して同報送信し（Ｓ１５５）、送信処理を終了する。マップを符号化する際の符号化方式は、マップデータのデータ量を圧縮可能な方式であればどのような方式であってもよい。ただし、例えば、図１１などを参照すれば明らかなように、オンとなっているビット数の割に、オフとなっているビット数が多いデータになりがちなので、ランレングス符号化方式などが有効である。
【００６７】
次に、マップデータの受信処理について説明する。この受信処理は、無線通信装置１０の作動期間中は定期的又は不定期に何度も実行される処理である。上述の送信処理と受信処理は、時分割で交互に実行されてもよいし、両処理が非同期でそれぞれ並列に実行されてもよい。
【００６８】
この受信処理を開始すると、ＣＰＵ２１は、圧縮されたマップを受信し、復号する（Ｓ２０５）。Ｓ２０５では、上述のＳ１５５で利用された符号化方式に準拠して復号が実施される。そして、ＣＰＵ２１は、ヘッダ部に記載のマップ形状、サイズ情報を用いて車両の相対位置を計算する（Ｓ２１０）。すなわち、マップデータ中において、車両が存在する相対位置はビットがオンにされることで記録されているが、そのビットが示す位置までの相対的な距離はセルのサイズなどに応じて変わり得る。そこで、Ｓ２１０では、各種情報をヘッダから取得して、相対位置の計算を行う。
【００６９】
続いて、ＣＰＵ２１は、送信元車両の位置情報とセットで、車両の相対位置を受信マップテーブルに格納し（Ｓ２１５）、１つ以上のマップで受信した相対位置情報を絶対位置に変換する（Ｓ２２０）。Ｓ２２０では、複数のマップデータを受信した結果、一台の車両に対応して複数の相対位置情報が取得できている場合もあるので、そのような場合は、それら全ての相対位置を絶対位置に変換した上で、最小二乗法などを利用して絶対位置の真値を推定する。
【００７０】
続いて、ＣＰＵ２１は、マップで受信した最新の交通情報と、既に情報を蓄積している自車両の交通情報ＤＢ６０とを比較し（Ｓ２２５）、受信マップに交通情報の欠落があるか否かを判断する（Ｓ２３０）。Ｓ２３０では、例えば、交通情報ＤＢ６０には、自車両の周辺に他車両＃１〜＃４が存在する旨の情報が登録されていて、それにもかかわらず、受信マップには他車両＃１〜＃３の情報しかない場合に、欠落があると判断される。
【００７１】
このような欠落がある場合、例えば、受信マップの送信元となった他車両が他車両＃１であれば、他車両＃１は何らかの事情で他車両＃４の存在を認識していないものと推定できる。したがって、この場合は、他車両＃１に対して他車両＃４の存在を伝達することが有益である。そこで、ＣＰＵ２１は、受信マップに交通情報の欠落がある場合は（Ｓ２３０：ＹＥＳ）、欠落している交通情報の詳細データ（追加情報）を転送する（Ｓ２３５）。上述の例でいえば、他車両＃４の詳細データを他車両＃１に対して転送する。なお、本実施形態においては、他車両＃４の詳細データとしては、上述のようなマップデータではなく、他車両＃４の情報を車車間通信で転送する。ただし、他車両＃４の位置を伝達したいだけであれば、先に説明した送信処理により上述のようなマップデータを送信してもよい。
【００７２】
こうしてＳ２３５を終えるか、Ｓ２３０で否定判断がなされた場合は（Ｓ２３０：ＮＯ）、交通情報ＤＢ６０を更新して（Ｓ２４０）、最新の受信マップに記録されている情報を交通情報ＤＢ６０に登録し、受信処理を終了する。
【００７３】
［効果］
以上のような無線通信装置１０によれば、自車両に対する他車両の相対位置を１ビットという極めて小さなデータ量で伝送することができる。そのため、多数の他車両それぞれに対応する相対位置情報であっても一括して送信することができる。したがって、データ量を抑制するために、例えば、一部の他車両だけを選択して相対位置情報を送信し、残りの他車両については相対位置情報の送信を断念する、といった対応をしなくても済む。
【００７４】
また、一括して送信可能なデータ量が決まっている場合、自車両に対する他車両の相対位置に関するデータ量が小さくなれば、その分だけ他のデータを送信できる。したがって、自車両に対する他車両の相対位置以外にも、より多くの他の情報を付加して送信する余裕ができる。あるいは、そのような他の情報を付加しなければ、一括して送信されるデータ量そのものを小さくできるので、通信トラフィックを減少させることができ、無線通信装置１０の各部にかかる処理負荷を軽減することができる。
【００７５】
［他の実施形態］
以上、無線通信装置について、例示的な実施形態を示して説明をしたが、本発明は、上述の実施形態に限定されるものではなく、本発明の技術的思想を逸脱しない範囲内において、様々な形態で実施することができる。
【００７６】
例えば、上記実施形態では、図６に例示したような、単一のマップデータ内でセルサイズを可変とする構成について説明したが、このような構成を採用するか否かは任意である。また、上記実施形態では、図８に例示したように、車速対応でセルサイズを動的に変更する構成について説明したが、このような構成を採用するか否かも任意である。また、上記実施形態では、図９に例示したように、情報取得部４０の測定精度に基づいて、セルサイズを変更する構成について説明したが、このような構成を採用するか否かも任意である。また、上記実施形態では、Ｓ１０５−Ｓ１１５の処理ステップを採用することで、図１０に例示したような二種類のマップデータのいずれかを択一的に送信する構成について説明したが、このような構成を採用するか否かも任意である。
【００７７】
また、上記実施形態では、図１１に例示したように、隣接する複数のセルをオンとすることで、対象となる交通要素の位置精度を表現する構成について説明したが、このような構成を採用するか否かも任意である。また、上記実施形態では、図１３に例示したように、隣接する複数のセルをオンとすることで、対象となる交通要素の速度を表現する構成について説明したが、このような構成を採用するか否かも任意である。また、上記実施形態では、Ｓ１５５，Ｓ２０５において、ランレングス符号化方式などにより、送信時にはマップデータを符号化して圧縮し、受信時にはマップデータを復号する旨を説明したが、このようなデータ圧縮を行う構成を採用するか否かも任意である。さらに、上記実施形態では、Ｓ２３０−Ｓ２３５により、受信したマップデータにおいて情報の欠落を発見した際に、マップデータの送信元へ情報提供を行う構成を採用していたが、このような構成を採用するか否かも任意である。以上のような任意に採用すればよい構成は、全てを採用してもよいし、いくつかを選択して採用してもよいし、全てを採用しないものであってもよい。
【００７８】
また、上記実施形態において、交通要素としては、車両を対象にしている旨を説明したが、歩行者や自転車などを対象にしてもよい。また、説明を簡略にするため、上述の実施形態では車車間通信システムを例に挙げて説明したが、上述のようなマップデータは、歩車間通信や路車間通信で送信先に対して提供されてもよい。
【００７９】
なお、本発明の各構成要素は概念的なものであり、上記実施形態に限定されない。例えば、一つの構成要素が有する機能を複数の構成要素に分散させたり、複数の構成要素が有する機能を一つの構成要素に統合したりしてもよい。また、上記実施形態の構成の少なくとも一部を、同様の機能を有する公知の構成に置き換えてもよい。また、上記実施形態の構成の少なくとも一部を、他の上記実施形態の構成に対して付加、置換等してもよい。上記実施形態の構成のうち、ソフトウェアで実現していた部分を、同等な機能を有するハードウェアで代替してもよいし、その逆に、ハードウェアで実現していた部分を、同等な機能を有するソフトウェアで代替してもよい。
【符号の説明】
【００８０】
１０…無線通信装置、２０…制御部、２１…ＣＰＵ、２２…ＲＡＭ、３０…通信部、３１…変調部、３２…ＲＦ部、３３…復調部、４０…情報取得部、４１…カメラ、４２…ライダー、４３…無線装置、５０…検出部、５１…ＧＰＳ、５２…ジャイロセンサ、６０…交通情報ＤＢ、２１１…マップ作成部、２１２…フィッティング部、２１３…情報提供部、２２１…受信マップデータテーブル。
【図１】
2015186009.tif 000003
【図２】
2015186009.tif 000004
【図３】
2015186009.tif 000005
【図４】
2015186009.tif 000006
【図５】
2015186009.tif 000007
【図６】
2015186009.tif 000008
【図７】
2015186009.tif 000009
【図８】
2015186009.tif 000010
【図９】
2015186009.tif 000011
【図１０】
2015186009.tif 000012
【図１１】
2015186009.tif 000013
【図１２】
2015186009.tif 000014
【図１３】
2015186009.tif 000015
【図１４】
2015186009.tif 000016
【図１５】
2015186009.tif 000017